【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
ユーザ端末とインターネットへの中継網に接続されている冗長化された複数のゲートウェイ装置との間に配置される負荷分散パケット転送装置と、この負荷分散パケット転送装置と連携して動作する負荷分散管理装置とからなるパケット転送システムにおいて、
前記負荷分散パケット転送装置は、前記ユーザ端末または前記ゲートウェイ装置との接続回線を収容する複数の回線インタフェースと、前記複数の回線インタフェース間でのユーザパケットおよび通信制御パケットの転送を制御するプロトコル処理部とからなり、
前記プロトコル処理部は、前記ユーザ端末から受信した前記中継網への接続開始要求パケットを前記複数のゲートウェイ装置に転送し、所定時間内に受信した前記接続開始要求パケットに対する応答パケットの情報を、前記負荷分散管理装置に通知し、前記負荷分散管理装置が選択したゲートウェイ装置からの応答パケットを前記ユーザ端末に転送し、前記ユーザ端末から受信した通信制御パケットとユーザパケットとを前記選択したゲートウェイ装置に転送することを特徴とするパケット転送システム。
【請求項２】
前記プロトコル処理部は、前記接続開始要求パケットを受信したとき、前記接続要求パケットのヘッダから抽出した前記ユーザ端末の識別情報を含む新たなテーブルエントリを接続管理テーブルに登録することを特徴とする請求項１に記載のパケット転送システム。
【請求項３】
前記プロトコル処理部は、前記応答パケットのヘッダから抽出したゲートウェイ装置情報を、前記接続管理テーブルに記録することを特徴とする請求項２に記載のパケット転送システム。
【請求項４】
前記プロトコル処理部は、前記複数の回線インタフェースに接続されたルーティング部と、このルーティング部に結合された制御プロセッサとからなり、
前記ルーティング部は、監視対象となる通信制御パケットの種類を示す監視パケットテーブルを備え、前記各回線インタフェースから受信した通信制御パケットのうち、前記監視パケットテーブルで指定された通信制御パケットを前記制御プロセッサに転送し、前記監視パケットテーブルで指定されなかった通信制御パケットについて、そのヘッダ情報に従って前記何れかの回線インタフェースにルーティングすることを特徴とする請求項１ないし請求項３の何れか一つに記載のパケット転送システム。
【請求項５】
ユーザ端末とインターネットへの中継網に接続されている冗長化された複数のゲートウェイ装置との間に配置される負荷分散パケット転送装置と、この負荷分散パケット転送装置と連携して動作する負荷分散管理装置とからなるパケット転送システムにおいて、
前記負荷分散管理装置は、前記負荷分散パケット転送装置との接続回線を収容する回線インタフェースと、ゲートウェイ装置の負荷分散制御を行う負荷分散処理部とからなり、前記ゲートウェイ装置毎の優先度情報を記憶する負荷分散管理テーブルに基いて、前記負荷分散パケット転送装置からのゲートウェイ情報一覧通知より、優先度の高いゲートウェイ装置を選択し、選択ゲートウェイ装置情報を前記負荷分散パケット転送装置に通知することを特徴とするパケット転送システム。
【請求項６】
前記負荷分散処理部が、前記ゲートウェイ情報一覧通知を受信したとき、前記負荷分散管理テーブルにおける接続優先度の高い順に、テーブルエントリに登録されているゲートウェイ装置情報から、前記ゲートウェイ情報一覧通知に登録されている各ゲートウェイ装置情報を検索し、前記負荷分散管理テーブルが示す一致したゲートウェイ装置の接続数と接続比率とを更新し、前記一致したゲートウェイ装置のテーブル更新後の接続比率と他の接続比率とに基いて、前記各ゲートウェイ装置の新たな選択優先度を決定して、前記負荷分散管理テーブルに登録し、前記負荷分散管理テーブルが示す各ゲートウェイ選択装置の選択優先度に基いて、新たな接続開始要求パケットと対応する新たな選択ゲートウェイ装置を選択することを特徴とする請求項５に記載のパケット転送システム。
【請求項７】
前記負荷分散管理テーブルは、さらに、前記各ゲートウェイ装置の運用モードを示す運用優先度を含み、
前記負荷分散処理部は、第１の運用優先度をもつゲートウェイ装置の中から、前記選択ゲートウェイ装置を選択することを特徴とする請求項５または請求項６に記載のパケット転送システム。
【手続補正２】
【補正対象書類名】明細書
【補正対象項目名】発明の名称
【補正方法】変更
【補正の内容】
【発明の名称】パケット転送システム
【手続補正３】
【補正対象書類名】明細書
【補正対象項目名】００２１
【補正方法】変更
【補正の内容】
【００２１】
本発明によれば、ユーザ端末が接続されたアクセス網と、インターネットへの中継網とを接続する冗長化された複数のゲートウェイ装置を有する網構成において、ゲートウェイ装置の負荷分散を考慮してユーザ端末を接続するパケット転送システムを提供することができる。
[発明を実施するための最良の形態]
【手続補正４】
【補正対象書類名】明細書
【補正対象項目名】００４７
【補正方法】変更
【補正の内容】
【００４７】
図６において、（Ａ）〜（Ｆ）は、特定のタイミングでの接続管理テーブル１５２の状態である。ここでは、一般的な接続管理テーブル１５２を説明し、詳細な遷移は後述する。端末管理テーブル１５２は、端末ポート１５２１と、端末ＭＡＣ１５２２と、ゲートウェイポート１５２３と、ゲートウェイ ＭＡＣ／＊ゲートウェイ ＭＡＣ−ＳＡ １５２４と、ステータス１５２５と、タイマ値１５２６とから構成される。
【手続補正５】
【補正対象書類名】明細書
【補正対象項目名】００４８
【補正方法】変更
【補正の内容】
【００４８】
図７において、ポート管理テーブル１５３は、ポートＮｏ.１５３１と、ゲートウェイ接続フラグ１５３２と、ＭＡＣアドレス１５３３とから構成される。ポートＮｏ.１５３１は、ゲートウェイ選択装置１０のポート番号である。ゲートウェイ接続フラグ１５３２が「１」のポートにはゲートウェイ装置２０が接続され、そのＭＡＣアドレスがＭＡＣアドレス１５３３に記載される。一方、ゲートウェイ接続フラグ１５３２が「０」のポートには端末４０、負荷分散管理装置６０等が接続され、そのＭＡＣアドレスがＭＡＣアドレス１５３３に記載される。なお、一つのポートに複数のＭＡＣアドレス１５３３のレコードがあるのは、ポートにスイッチをカスケード接続する際に有効になるからである。
【手続補正６】
【補正対象書類名】明細書
【補正対象項目名】００６４
【補正方法】変更
【補正の内容】
【００６４】
ＰＰＰｏＥ転送フェーズＳＰ２において、ゲートウェイ（ＢＡＳ）２０−１は、ゲートウェイ選択装置１０−１を介してＰＰＰｏＥ端末４０−２から、ＰＰＰｏＥパケットを受信すると（ＳＱ２００）、ＩＰパケットに変換して、ルータ２４に転送する（ＳＱ２０１）。また、ルータ２４からＩＰパケットを受信すると（ＳＱ２０１）、ＰＰＰｏＥパケットに変換して、ゲートウェイ選択装置１０１−１を介してＰＰＰｏＥ端末４０−２に転送する（ＳＱ２００）。
【手続補正７】
【補正対象書類名】明細書
【補正対象項目名】００８２
【補正方法】変更
【補正の内容】
【００８２】
検索の結果（Ｓ１５５）、上記テーブルエントリのゲートウェイ ＭＡＣ６２２１のＭＡＣアドレス「００−００−００−２２−２２−０１」と一致する＊ゲートウェイ ＭＡＣ−ＳＡが見つかった場合、一致したＭＡＣアドレスを選択ＭＡＣアドレス「００−００−００−２２−２２−０１」として決定する。その後、一致したテーブルエントリの接続数６２２６の値に＋１を加算および接続比率６２２４の再計算を行い、接続比率６２２４（または接続数６２２６）の少ない順に、選択優先度６２２３を再割当てする（Ｓ１５６）。
【手続補正８】
【補正対象書類名】明細書
【補正対象項目名】００８６
【補正方法】変更
【補正の内容】
【００８６】
なお、選択されたＭＡＣアドレスまたは該当ＭＡＣアドレスなしは、図９のＳＱＭ２でゲートウェイ選択装置１０−１に送信される。
【手続補正９】
【補正対象書類名】明細書
【補正対象項目名】００８９
【補正方法】変更
【補正の内容】
【００８９】
図１５に示すＰＡＤＳパケット受信処理ルーチンＳＱ１７０において、制御プロセッサ１４は、ルーティング部１２から通知された受信ポート番号「４」と、受信パケットの宛先ＭＡＣアドレス（ＭＡＣ−ＤＡ９０１）の値「００−００−００−００−００−０２」と、送信元ＭＡＣアドレス（ＭＡＣ−ＳＡ９０２）の値「００−００−００−２２−２２−０１」を検索キーとして、接続管理テーブル１５２から、ゲートウェイポート１５２３、端末ＭＡＣ１５２２、ゲートウェイ ＭＡＣ１５２４が検索キーに一致するテーブルエントリを検索する（Ｓ１７１）。
【手続補正１０】
【補正対象書類名】図面
【補正対象項目名】図５
【補正方法】変更
【補正の内容】
【図５】
2009089326.tif 000001